(57)【特許請求の範囲】
【請求項１】
進化型ＮｏｄｅＢ（ｅＮｏｄｅＢ）であって、
無線ダウンリンク制御チャネル（ＰＤＣＣＨ）を介しダウンリンク割当てインデックス（ＤＡＩ）を送信し、インデックス値ｊを有し、前記ＤＡＩを含むダウンリンクサブフレームを送信するよう構成される送信モジュールと、
ｊ＋ｐ（ｊはＨＡＲＱバンドリングウィンドウのサブフレームの個数未満の正定数、ｐは正定数）に等しくない前記ＤＡＩの値を有する前記ダウンリンクサブフレームを送信したことに応答して、前記ダウンリンクサブフレームの間欠受信（ＤＴＸ）のＨＡＲＱ受信状態を受信するよう構成される受信モジュールと、
を有するｅＮｏｄｅＢ。
【請求項２】
前記ｅＮｏｄｅＢは、時分割複信（ＴＤＤ）モードで動作するよう構成される、請求項１記載のｅＮｏｄｅＢ。
【請求項３】
前記受信モジュールは、複数のダウンリンクサブフレームの多重化されたＨＡＲＱ受信状態を受信するよう構成され、前記複数のダウンリンクサブフレームはＭ個のダウンリンクサブフレームのバンドリングウィンドウを含む、請求項１記載のｅＮｏｄｅＢ。
【請求項４】
プライマリダウンリンク共有チャネル（ＰＤＳＣＨ）がＭ個のダウンリンクサブフレームを含む前記バンドリングウィンドウ内で対応するＰＤＣＣＨなしに送信される場合、ｐは０に等しく、
Ｍ個のダウンリンクサブフレームを含む前記バンドリングウィンドウ内で対応するＰＤＣＣＨなしに送信されるＰＤＳＣＨがない場合、ｐは１に等しい、請求項３記載のｅＮｏｄｅＢ。
【請求項５】
プライマリセル上で対応する制御チャネル送信と共にセカンダリセル上でダウンリンク共有チャネル送信がある場合、ｐは１に等しい、請求項４記載のｅＮｏｄｅＢ。
【請求項６】
前記受信モジュールは、前記受信状態に基づき選択されたコンステレーション及びコード入力ビットセットを有するＰＵＣＣＨアップリンクリソースにより前記ＨＡＲＱ受信状態を受信するよう構成される、請求項１記載のｅＮｏｄｅＢ。
【請求項７】
前記ｅＮｏｄｅＢは、ロング・ターム・エボリューション（ＬＴＥ）規格のファミリを利用する無線ネットワークと通信するよう構成される、請求項１記載のｅＮｏｄｅＢ。
【請求項８】
前記受信モジュールは、物理アップリンク制御チャネル（ＰＵＣＣＨ）フォーマット１ｂチャネルにより前記ＨＡＲＱ受信状態を受信するよう構成される、請求項１記載のｅＮｏｄｅＢ。
【請求項９】
無線ダウンリンク制御チャネル（ＰＤＣＣＨ）を介しダウンリンク割当てインデックス（ＤＡＩ）を送信し、インデックス値ｊを有し、前記ＤＡＩを含むダウンリンクサブフレームを送信することと、
ｊ＋ｐ（ｊはＨＡＲＱバンドリングウィンドウのサブフレームの個数未満の正定数、ｐは正定数）に等しくない前記ＤＡＩの値を有する前記ダウンリンクサブフレームを送信したことに応答して、前記ダウンリンクサブフレームの間欠受信（ＤＴＸ）のＨＡＲＱ受信状態を受信することと、
をプロセッサに実行させるためのプログラム。
【請求項１０】
ｅＮｏｄｅＢは、時分割複信（ＴＤＤ）モードで動作するよう構成される、請求項９記載のプログラム。
【請求項１１】
前記受信することは、複数のダウンリンクサブフレームの多重化されたＨＡＲＱ受信状態を受信することを含み、前記複数のダウンリンクサブフレームはＭ個のダウンリンクサブフレームのバンドリングウィンドウを含む、請求項９記載のプログラム。
【請求項１２】
プライマリダウンリンク共有チャネル（ＰＤＳＣＨ）がＭ個のダウンリンクサブフレームを含む前記バンドリングウィンドウ内で対応するＰＤＣＣＨなしに送信される場合、ｐは０に等しく、
Ｍ個のダウンリンクサブフレームを含む前記バンドリングウィンドウ内で対応するＰＤＣＣＨなしに送信されるＰＤＳＣＨがない場合、ｐは１に等しい、請求項１１記載のプログラム。
【請求項１３】
プライマリセル上で対応する制御チャネル送信と共にセカンダリセル上でダウンリンク共有チャネル送信がある場合、ｐは１に等しい、請求項１２記載のプログラム。
【請求項１４】
前記受信状態に基づき選択されたコンステレーション及びコード入力ビットセットを有するＰＵＣＣＨアップリンクリソースにより前記ＨＡＲＱ受信状態を受信することを前記プロセッサに更に実行させる、請求項９記載のプログラム。
【請求項１５】
物理アップリンク制御チャネル（ＰＵＣＣＨ）フォーマット１ｂチャネルにより前記ＨＡＲＱ受信状態を受信することを前記プロセッサに更に実行させる、請求項９記載のプログラム。
【請求項１６】
進化型ＮｏｄｅＢ（ｅＮｏｄｅＢ）が、無線ダウンリンク制御チャネル（ＰＤＣＣＨ）を介しダウンリンク割当てインデックス（ＤＡＩ）を送信し、インデックス値ｊを有し、前記ＤＡＩを含むダウンリンクサブフレームを送信することと、
前記ｅＮｏｄｅＢが、ｊ＋ｐ（ｊはＨＡＲＱバンドリングウィンドウのサブフレームの個数未満の正定数、ｐは正定数）に等しくない前記ＤＡＩの値を有する前記ダウンリンクサブフレームを送信したことに応答して、前記ダウンリンクサブフレームの間欠受信（ＤＴＸ）のＨＡＲＱ受信状態を受信することと、
を有する方法。
【請求項１７】
前記ｅＮｏｄｅＢが、複数のダウンリンクサブフレームの多重化されたＨＡＲＱ受信状態を受信することを更に含み、前記複数のダウンリンクサブフレームはＭ個のダウンリンクサブフレームのバンドリングウィンドウを含む、請求項１６記載の方法。
【請求項１８】
プライマリダウンリンク共有チャネル（ＰＤＳＣＨ）がＭ個のダウンリンクサブフレームを含む前記バンドリングウィンドウ内で対応するＰＤＣＣＨなしに送信される場合、ｐは０に等しく、
Ｍ個のダウンリンクサブフレームを含む前記バンドリングウィンドウ内で対応するＰＤＣＣＨなしに送信されるＰＤＳＣＨがない場合、ｐは１に等しい、請求項１６記載の方法。
【請求項１９】
プライマリセル上で対応する制御チャネル送信と共にセカンダリセル上でダウンリンク共有チャネル送信がある場合、ｐは１に等しい、請求項１８記載の方法。
【請求項２０】
前記ｅＮｏｄｅＢが、前記受信状態に基づき選択されたコンステレーション及びコード入力ビットセットを有するＰＵＣＣＨアップリンクリソースにより前記ＨＡＲＱ受信状態を受信することを更に有する、請求項１６記載の方法。
【請求項２１】
前記ｅＮｏｄｅＢが、物理アップリンク制御チャネル（ＰＵＣＣＨ）フォーマット１ｂチャネルにより前記ＨＡＲＱ受信状態を受信することを更に有する、請求項１６記載の方法。
【請求項２２】
請求項９乃至１５何れか一項記載のプログラムを記憶するためのコンピュータ可読記憶媒体。
【発明の詳細な説明】
【技術分野】
【０００１】
本出願は、参照することによってその全体がここに援用される、２０１２年１２月２０日に出願された米国特許出願第１３／７２１，４５８号及び２０１２年７月２日に出願された米国仮特許出願第６１／６６７，３２５号に対する優先権の利益を主張する。
【背景技術】
【０００２】
ロング・ターム・エボリューション（ＬＴＥ）及び他の無線ネットワークは、移動機（ユーザ装置（ＵＥ）など）と無線アクセスネットワーク（ＲＡＮ）との間の信頼性の低い媒体を介したメッセージの送信に依拠する。ＬＴＥでは、ＲＡＮは１以上のｅＮｏｄｅＢから構成される。この信頼性の低い通信媒体は、データが低い信号品質、干渉又は無線媒体による他の問題のため消失又は損傷する可能性があるため、ＲＡＮとＵＥとの間のデータの適切な通信にとって問題を生じさせうる。
【図面の簡単な説明】
【０００３】
【図１】図１は、本開示のいくつかの具体例によるＨＡＲＱ−ＡＣＫレスポンスからリソースへのマッピング、コンステレーション及び３のバンドリングウィンドウによる２つのセルのＲＭコード入力ビットを示すテーブルである。
【図２】図２は、本開示のいくつかの具体例によるＨＡＲＱ−ＡＣＫレスポンスからリソースへのマッピング、コンステレーション及び４のバンドリングウィンドウによる２つのセルのＲＭコード入力ビットを示すテーブルである。
【図２Ａ】図２Ａは、本開示のいくつかの具体例による図２のテーブルの続きである。
【図３】図３は、本開示のいくつかの具体例による一例となるリソース割当の図を示す。
【図４】図４は、本開示のいくつかの具体例による一例となるリソース割当の図を示す。
【図５Ａ】図５Ａは、本開示のいくつかの具体例によるＨＡＲＱ−ＡＣＫレスポンスを生成する方法のフローチャートを示す。
【図５Ｂ】図５Ｂは、本開示のいくつかの具体例によるＨＡＲＱ−ＡＣＫレスポンスを処理する方法のフローチャートを示す。
【図６】図６は、本開示のいくつかの具体例による無線通信システムのブロック図を示す。
【図７】図７は、本開示のいくつかの具体例によるＵＥ及びｅＮｏｄｅＢの特定の機能を示す機能ブロック図を示す。
【図８】図８は、本開示のいくつかの具体例によるマシーンのブロック図を示す。
【発明を実施するための形態】
【０００４】
信頼性の低い無線通信媒体を処理するため、ＬＴＥ及び他のセルラネットワークは、ＨＡＲＱ（Ｈｙｂｒｉｄ  Ａｕｔｏｍａｔｉｃ  Ｒｅｐｅａｔ  Ｒｅｑｕｅｓｔ）と呼ばれる機構を利用して、ＲＡＮとＵＥとの間のデータの安全な配信を確保するため、誤り訂正とパケットアクノリッジメントとを提供する。ＨＡＲＱは、順方向誤り訂正符号化（ＦＥＣ）と共にＡＲＱ（Ａｕｔｏｍａｔｉｃ  Ｒｅｐｅａｔ  Ｒｅｑｕｅｓｔ）を用いてパケットの受信が成功したか送信側に通知することによって、受信側における誤り訂正を提供する。データパケットを受信すると、受信機は、誤り検出コード（ＣＲＣ（Ｃｙｃｌｉｃ  Ｒｅｄｕｎｄａｎｃｙ  Ｃｈｅｃｋ）など）を用いて、当該パケットが正しく受信されたか判断する。パケットの受信が成功した場合、受信機は、フィードバック機構（ＡＣＫなど）を用いて送信機をアクノリッジする。パケットの受信が成功しなかった場合、受信機は、ＦＥＣ情報を用いて当該パケットを修復することを試みてもよい。受信機がＦＥＣ情報を用いてパケットを修復することに成功した場合、送信機をＡＣＫし、そうでない場合、ネガティブアクノリッジメント（ＮＡＣＫ）により送信機に応答してもよい。更なる他の例では、受信機（ＵＥ）は、簡潔送信モード（ＤＴＸ）モードにあったと応答してもよい。ＤＴＸレスポンスは、ＵＥが制御チャネル（プライマリダウンリンク制御チャネル（ＰＤＣＣＨ）など）上で情報を適切に検出できず、パケットがＵＥに送信されたか判断できなかったケースを表すものであってもよい。
【０００５】
セルラネットワークでは、これらのＨＡＲＱレスポンスは、典型的には、制御チャネルにより送信される。ＵＥからＲＡＮに送信されるアップリンクトラフィックに対するレスポンスは、典型的には、アップリンク制御チャネル（物理アップリンク制御チャネル（ＰＵＣＣＨ）など）において送信される。ＵＥからＲＡＮに送信されるアップリンクトラフィックに対するレスポンスは、典型的には、ダウンリンクＨＡＲＱ−ＡＣＫチャネル（物理ハイブリッドＨＡＲＱインジケータチャネル（ＰＨＩＣＨ）など）において送信される。アクノリッジされていないパケット（ＮＡＣＫされたか、又は単に全くアクノリッジされていない）は、送信機によって再送されてもよい。
【０００６】
いくつかのシステムでは、アップリンク通信（ＵＥからＲＡＮへの）は、周波数領域においてダウンリンク通信と分離される。すなわち、アップリンク及びダウンリンク無線通信は、異なる周波数帯域において行われる。これらのシステムは、ＦＤＤ（Ｆｒｅｑｕｅｎｃｙ  Ｄｕｐｌｅｘ  Ｄｉｖｉｓｉｏｎ）システムとして参照される。他の例では、アップリンク及びダウンリンク無線通信は、同一の周波数帯域を共有してもよいが、時間領域において分割されてもよい。すなわち、周波数帯域は、ある時間インスタンス（タイムスロットなどと呼ばれる）においてアップリンク無線送信のために確保され、他の時間インスタンス（タイムスロットなど）においてダウンリンク無線通信のために確保される。この方式は、ＴＤＤ（Ｔｉｍｅ  Ｄｉｖｉｓｉｏｎ  Ｄｕｐｌｅｘ）と呼ばれる。更なる他の例では、Ｈ−ＦＤＤ（Ｈａｌｆ−Ｄｕｐｌｅｘ  ＦＤＤ）システムは、異なる周波数帯域にアップリンク及びダウンリンク無線通信を割り当てるが、時間領域において分割される。
【０００７】
セルラネットワークの性質は、ＵＥとＲＡＮとの間の通信がダウンリンク無線リンク寄りに非対称的であるということである。すなわち、より多くのデータが、通常はＵＥからＲＡＮよりもＲＡＮからＵＥに送信される。これを補償するため、セル設計者は、しばしばより多くの周波数又は時間リソース（ネットワークがＦＤＤ又はＴＤＤであるかに応じて）をアップリンク無線通信に割り当てられるダウンリンク無線通信に割り当てることになる。
【０００８】
このリソース非対称性は、レスポンスを送信するためアップリンク制御チャネルにしばしば十分なアップリンクリソースがないため、必要なＨＡＲＱアクノリッジメントを管理しようとする際にＵＥに対して問題を生じさせる。この問題は、複数のキャリアの追加やチャネル状態情報などの他のアップリンクシグナリングによって悪化する。
【０００９】
ＬＴＥでは、無線送信は、典型的には、フレームと呼ばれる離散的なユニットに分割され、その後、それはサブフレームに分割され、サブフレームは１以上のコードワードに分割される。各コードワードは、特定のトランスポートブロックとのマッピング関係を有してもよく、特段の断りがない場合、互換的に用いられる。ＦＤＤシステムによると、ＨＡＲＱレスポンスは、送信の受信後に、固定数のサブフレームにより送信されてもよい（典型的には、４サブフレーム後）、しかしながら、ＴＤＤシステムによると、非対称的な無線インバランスのために無線フレームに可変数のアップリンク及びダウンリンクタイムスロットがしばしばあるため、固定的な遅延はありえない。
【００１０】
これらの問題を解決するため、ＴＤＤシステムについて、４Ｇ（ＬＴＥ）無線ネットワークの規格を公開する３ＧＰＰ（３ｒｄ  Ｇｅｎｅｒａｔｉｏｎ  Ｐａｒｔｎｅｒｓｈｉｐ  Ｐｒｏｊｅｃｔ）は、複数の機構を開発してきた。第１は、ＡＣＫ／ＮＡＣＫ／ＤＴＸ時間領域バンドリングである。ＨＡＲＱ−ＡＣＫバンドリングについて、ダウンリンクチャネル（物理ダウンリンク共有チャネルＰＤＳＣＨなど）において受信された特定数のサブフレーム（バンドリングウィンドウと呼ばれる）のための各ダウンリンクサブフレームにおける特定の各コードワードのＡＣＫ、ＮＡＣＫ又はＤＴＸの結果は、バンドリングウィンドウの全てのサブフレームの各コードワードに対応する１以上の複合的な結果を生成するため、論理的にＡＮＤ処理される。このとき、生成される複合的なＡＣＫ／ＮＡＣＫ／ＤＴＸ結果の個数は、サブフレームにおけるコードワードの個数に等しい。例えば、バンドリングウィンドウのサイズが４ダウンリンクサブフレームであり、各サブフレームが２つのコードワードを有する場合、サブフレーム０〜３の第１のコードワードのアクノリッジメントは、一緒に論理的にＡＮＤ化され、サブフレーム０〜３の第２のコードワードはまた、一緒に論理的にＡＮＤ化され、２つのアクノリッジメントビットを生成する。当該技術の効果は、アップリンクカバレッジが確保できるように、数ビットを用いて大変コンパクトになるということである。ダウンサイドは、サブフレームの何れか１つのコードワードの何れか１つが正しく受信されなかった場合、全てのサブフレームのコードワードが再送される。他の技術は、各ダウンリンクサブフレーム毎に１つのアクノリッジメントビットを生成するため、各ダウンリンクサブフレームのコードワード（すなわち、空間領域バンドリングと呼ばれる）においてコードワードを個別に論理的にＡＮＤ処理するＨＡＲＱ−ＡＣＫ多重化を利用することである。この結果は、バンドリングウィンドウ内の関連する各ダウンリンクサブフレームのＡＣＫ／ＮＡＣＫ／ＤＴＸの結果である。サブフレーム毎に２つのコードワードがある４つのダウンリンクサブフレームについて、論理ＡＮＤ処理による２つのコードワード（存在する場合）における空間領域バンドリングが、サブフレームにおいて適用され、サブフレームの複数のバンドル化されたＡＣＫ／ＮＡＣＫは、バンドリングウィンドウ内の１つの複合的な状態を生じさせてもよい。物理アップリンク制御チャネル（ＰＵＣＣＨ）により送信されるＨＡＲＱ−ＡＣＫレスポンスについて、複合的な状態は、ＰＵＣＣＨリソース及びコンステレーションポイントの組み合わせとして表現されてもよい。これは、各サブフレームに１つのアクノリッジメント結果である４つのアクノリッジメント結果をもたらす。当該ＨＡＲＱ−ＡＣＫ技術の名称は“多重化”であるという事実に関わらず、明細書全体において“バンドリングウィンドウ”という用語が用いられることに留意されたい。
【００１１】
バンドリングウィンドウ（ｂｕｎｄｌｉｎｇ  ｗｉｎｄｏｗ）は、あるアップリンクサブフレームにおけるダウンリンクトラフィックに対応するＨＡＲＱ−ＡＣＫフィードバックがアップリンクにおいて送信されるときを指定する時間ユニット（複数のサブフレームなど）である。ＵＥは、サブフレームｎにおいてＰＵＣＣＨを用いてＨＡＲＱ−ＡＣＫフィードバックを送信する。ここで、ＨＡＲＱ−ＡＣＫフィードバックはｎ−ｋｉに対するものであり、ｋｉ∈Ｋ（テーブル１に規定）及び０≦ｉ≦Ｍ−１である。バンドリングウィンドウは、一般にサブフレームｎにおけるアップリンクＨＡＲＱ−ＡＣＫフィードバックについてｎ−ｋｉのダウンリンクサブフレームとして規定される。
テーブル１．ＴＤＤのためのダウンリンク関連付けセットインデックスＫ：｛ｋ０，ｋ１，．．．，ｋＭ−１｝
【００１２】
【表１】
0006275802.tif 000002
【００１３】
ＴＤＤ  ＵＬ−ＤＬコンフィギュレーションテーブルは、テーブル２として与えられる。
テーブル２  ＴＤＤ  ＵＬ−ＤＬコンフィギュレーション
【表２】
0006275802.tif 000003
ＴＤＤアップリンク／ダウンリンクコンフィギュレーション（Ｄ＝ダウンリンク、Ｓ＝ダウンリンクからアップリンクにスイッチするための時間をＵＥに与えるのに用いられる３つのフィールドＤｗＰＴＳ，ＧＰ，ＵｐＰＴＳによる特別なサブフレーム、Ｕ＝アップリンク）
【００１４】
ＬＴＥアドバンストは、複数のキャリアがダウンリンクにおいて利用可能なキャリアアグリゲーションをサポートする。これは、複数のキャリアのための複数のＡＣＫ／ＮＡＣＫ情報ビットがアップリンクにおいてフィードバックされる必要があることを意味する。このため、ＬＴＥは、時間領域のバンドリングによりチャネル選択として知られる技術を規定する。この技術は、当該技術の時間領域バンドリングが既存のものと若干異なるということを除き、ＨＡＲＱ−ＡＣＫ多重化と同様の技術を利用する。キャリアアグリゲーションのための時間領域バンドリングは、シングルキャリアのためのものが論理的にバンドル化されたＨＡＲＱ−ＡＣＫ情報を送信するためのものである一方、各コンポーネントキャリアについて複数の連続するＡＣＫを送信するためのものであってもよい。結果としてのＡＣＫ／ＮＡＣＫ情報は、チャネルとＱＰＳＫコンステレーションシンボルとのジョイント選択によって符号化されてもよい。本質的に、多重化されたアクノリッジメント結果は、その後にＰＵＣＣＨ送信のための２つのビットフィールド（ＱＰＳＫコンステレーション）及びＰＵＣＣＨリソース（選択されたチャネル）を選択するため、ルックアップテーブルにおいてインデックス化されてもよい。ＲＭコード入力ビットセットがまた、ＨＡＲＱ−ＡＣＫがＰＵＳＣＨにピギーバックされる場合に設けられる。マッピングテーブルは、異なるバンドリングウィンドウサイズについて図１及び２（図２は、図２Ａに続く）に示される。図１のＨＡＲＱ−ＡＣＫ（０）−（２）と、図２及び２ＡのＨＡＲＱ−ＡＣＫ（０）−（３）とラベル付けされたカラムは、プライマリセルとセカンダリセル（それぞれＰＣｅｌｌ及びＳＣｅｌｌ）との双方について当該サブフレームのＡＣＫ、ＮＡＣＫ又はＤＴＸ判定を表す。例えば、４サブフレームバンドリングウィンドウの場合、プライマリセルにおいて、サブフレーム（０）の受信が成功し（ＡＣＫ）、サブフレーム（１）の受信が不成功であり（ＮＡＣＫ）、サブフレーム（２）の受信が成功し（ＡＣＫ）、サブフレーム（３）の受信が成功し（ＡＣＫ）、セカンダリセルにおいて、ＡＣＫ，ＡＣＫ，ＡＣＫ，ＮＡＣＫのレスポンスであった場合、ＵＥは、物理アップリンク制御チャネル（ＰＵＣＣＨ）３に対応するフィードバックリソースによって、０，０，１，１のコード入力ビットを用いて（０，１）のコンステレーションを選択するであろう。すなわち、ＨＡＲＱ−ＡＣＫ（ｊ）カラムは、プライマリ及びセカンダリセルのそれぞれについて選択されたＨＡＲＱ−ＡＣＫ（ｊ）に依存して、使用すべきＲＭコード入力ビット、対応するＰＵＣＣＨリソース、コンステレーション及びプライマリ及びセカンダリセル（複数のキャリアに対する）のそれぞれについて各ダウンリンクサブフレームのＡＣＫ／ＮＡＣＫ／ＤＴＸレスポンスである。当該技術は、ＨＡＲＱ−ＡＣＫがＰＵＣＣＨを用いて送信されるとき、ＰＵＣＣＨフォーマット１ｂを利用する。
【００１５】
ＨＡＲＱ−ＡＣＫバンドリング又はＨＡＲＱ−ＡＣＫ多重化は、ＵＥが何れかスケジューリングされたフレームのスケジューリング情報を正しく受信しない場合、適切に機能しないかもしれない。例えば、ｅＮｏｄｅＢがバンドリングウィンドウサイズ２の２つのサブフレームについて端末をスケジューリングしたが、ＵＥが最後のフレームしか受信せず、最初のフレームにおいてスケジューリングされたことを認識していない場合、ＵＥは、ＡＣＫにより応答するであろう。ｅＮｏｄｅＢは、当該ＡＣＫを双方のサブフレームのアクノリッジメントとして解釈するであろう。ＵＥのダウンリンクグラントが見逃されたときを決定するため、ＬＴＥ仕様書は、ＰＤＣＣＨ上でダウンリンクスケジューリング情報と共に、ＲＡＮからＵＥに送信されるダウンリンクアサイメントインデックス（ＤＡＩ）を提供する。ダウンリンクグラントにおいて伝搬されるＤＡＩは、設定された各サービングセルの同じバンドリングウィンドウ内の現在のサブフレームまでのＳＰＳ（Ｓｅｍｉ  Ｐｅｒｓｉｓｔｅｎｔ  Ｓｃｈｅｄｕｌｉｎｇ）リリースを示すＰＤＣＣＨと割り当てられたＰＤＳＣＨ送信のＰＤＣＣＨとの累積数を示す。その後、ＵＥは、ＤＡＩを用いてバンドリングウィンドウ内でＨＡＲＱ−ＡＣＫ（ｊ）を生成する。
【００１６】
図３を参照して、一例となるレスポンス計算が示される。図３の例では、４つのサブフレーム（Ｍ＝４）のバンドリングウィンドウが、２つの設定されたセルにおいて示される。プライマリセル（ＰＣｅｌｌ）のＨＡＲＱ−ＡＣＫ（ｊ）レスポンスは、ＡＣＫ，ＡＣＫ，ＤＴＸ，ＡＣＫであり、セカンダリセル（ＳＣｅｌｌ）では、それはそれぞれＡＣＫ，ＮＡＣＫ，ＮＡＣＫ，ＡＣＫとなる。ＰＣｅｌｌについてＰＤＣＣＨにより受信したＤＡＩは、サブフレーム０について１であり、サブフレーム１について２であり、サブフレーム３について４である。ＵＥはサブフレーム２（ｍ＝２）においてＰＤＣＣＨを復号化可能でなく、それのＤＡＩ値を更新しなかったことに留意されたい。ＵＥが更新されたＤＡＩ値を消失したとしても、それはサブフレームｍ＝３においてそれを復元し、ＤＡＩがバンドリングウィンドウのエンドにおいて４であることを知る。ＤＡＩ値は４であるため、ＵＥは、それが４つのＨＡＲＱ−ＡＣＫ（ｊ）レスポンスを必要とすることを知っている。ＳＣｅｌｌについて、ＰＵＣＣＨにおいて受信したＤＡＩは、サブフレーム０，１，２，３のそれぞれについて１，２，３，４である。
【００１７】
図２及び２Ａのマッピングテーブルに基づき、これは、
【００１８】
【表３】
0006275802.tif 000004
のレスポンスを生成する。あるバンドリングウィンドウの全てのサブフレームがＲＡＮによってスケジューリングされていないときに問題があることに留意されたい。あるフレームがスケジューリングされていないため、ＤＡＩはインクリメントされず、バンドリングウィンドウのエンドではバンドリングウィンドウサイズ未満となる。図１及び２のフィードバックテーブルは、全てのフレームがスケジューリングされていることを仮定する。図４は、この問題の一例を示す。この例では、ＰＣｅｌｌの最初の２つのダウンリンクサブフレームはスケジューリングされない。従って、サブフレーム２についてＤＡＩは１であり、サブフレーム３についてＤＡＩは２である（図３と比較して、ＤＡＩはサブフレーム２及び３のそれぞれについて３及び４となる）。ＨＡＲＱ−ＡＣＫ（ｊ）はＤＡＩ値に関して決定されるため、ＨＡＲＱ−ＡＣＫ（０）はサブフレーム２に対応し、ＨＡＲＱ−ＡＣＫ（１）はサブフレーム３に対応する。しかしながら、ＨＡＲＱ−ＡＣＫ（２）及びＨＡＲＱ−ＡＣＫ（３）は、ＤＡＩの定義に従ってバンドリングウィンドウ内に対応する３及び４のＤＡＩ値が存在しないため、定義されない。これは、割り当てられたＰＤＳＣＨ送信内のＰＤＣＣＨと、バンドリングウィンドウ内の現在のサブフレームまでのダウンリンクＳＰＳリリースを示すＰＤＣＣＨとの累積値として定義される。従って、バンドリングウィンドウ内のＤＡＩ値に関連するＨＡＲＱ−ＡＣＫ（ｊ）についてＵＥによりモニタリングされるべき予想されるＤＬサブフレームがない場合、ＵＥ動作は指定されない。
【００１９】
いくつかの具体例では、最後に受信したＤＡＩ（ＬＤＡＩ）値がバンドリングウィンドウのサイズ未満である状況についてアクノリッジメントを生成する問題を解決するシステム、方法、ＵＥ及びマシーン可読媒体が開示される。いくつかの例では、所定の状態がＬＤＡＩ≦ｊ＜Ｍ−１のＨＡＲＱ−ＡＣＫ（ｊ）について利用され、Ｍは多重化又はバンドリングウィンドウサイズである。例えば、ＤＴＸ状態は、これらのＨＡＲＱ−ＡＣＫレスポンスにパディングされてもよい。従って、例えば、図４において、ＰＣｅｌｌが適切なレスポンスパラメータを決定するのに利用するＨＡＲＱ−ＡＣＫ（ｊ）は、ＡＣＫ，ＡＣＫ，ＤＴＸ，ＤＴＸとなるであろう。
【００２０】
ＰＣｅｌｌの最後の２つの状態がＤＴＸによりパディングされるため、ＵＥは、テーブルから使用すべき正確なマッピングを知ることになる。さらに、ネットワーク側では、ｅＮｏｄｅＢは最後の２つの状態がＤＴＸによりパディングされていることをすでに知っているため、ＤＴＸ以外の無関係な状態は、ＨＡＲＱ−ＡＣＫ検出パフォーマンスを改善するＰＵＣＣＨ検出仮説検定中に排除できる。例えば、図３では、ＰＣｅｌｌのＨＡＲＱ−ＡＣＫレスポンスは｛ＡＣＫ，ＡＣＫ，ＤＴＸ，ＤＴＸ｝，｛ＡＣＫ，ＮＡＣＫ，ＤＴＸ，ＤＴＸ｝，｛ＮＡＣＫ，ＡＣＫ，ＤＴＸ，ＤＴＸ｝又は｛ＮＡＣＫ，ＮＡＣＫ，ＤＴＸ，ＤＴＸ｝であるため、｛ａｎｙ，ａｎｙ，ＡＣＫ／ＮＡＣＫ，ＡＣＫ／ＮＡＣＫ｝の状態は、ｅＮＢ検出において排除できる。検出仮説検定を減少させることによって、ＰＵＣＣＨ検出パフォーマンスが向上されてもよい。
【００２１】
図４に示される具体例に本方法を適用することによって、以下が生成される。
【００２２】
【表４】
0006275802.tif 000005
いくつかの具体例では、ＨＡＲＱ−ＡＣＫ（ｊ）は、バンドリングウィンドウ内の全てのダウンリンクサブフレームがスケジューリングされたとは限らないケースについて、ＤＴＸにより充填されるかもしれないが、他の例では、ＡＣＫ、ＮＡＣＫ又は他の定義された値などの他の値が利用されてもよい。これは、ｅＮｏｄｅＢがこれらの値を無視するのに十分なシステム知識を有しているためである。実際、いくつかの具体例では、ＵＥは、何れかのＡＣＫ／ＮＡＣＫ／ＤＴＸ値を任意に選択してもよい。
【００２３】
図５Ａを参照して、あるバンドリングウィンドウ内の全てのダウンリンクフレームが必ずしもスケジューリングされなかった送信をアクノリッジする方法５０００が示される。処理５０１０において、ＵＥは、スケジューリングされるダウンリンクフレームを通知するスケジューリング情報をＰＤＣＣＨにおいて受信する。処理５０２０において、ＵＥは、あるバンドリングウィンドウについて最後のダウンリンク割当を受信したと判断し、処理５０３０において、最後のＤＡＩ値（ＬＤＡＩ）がバンドリングウィンドウサイズ未満であると判断する。処理５０４０において、ＵＥは、スケジューリングされたことをＵＥが認識したフレームについてＡＣＫ／ＮＡＣＫ／ＤＴＸレスポンスを決定する。処理５０５０において、対応するＤＡＩ値を有しない残りのＨＡＲＱ−ＡＣＫ（ｊ）は、所定値（ＤＴＸなど）により充填される。
【００２４】
図５Ｂを参照して、あるバンドリングウィンドウの全てのダウンリンクフレームが必ずしもスケジューリングされていない送信のｅＮｏｄｅＢにおけるアクノリッジメントを処理する方法５１００が示される。処理５１１０において、基地局（ｅＮｏｄｅＢなど）は、あるアクノリッジメント期間（バンドリングウィンドウなど）において１以上のダウンリンク送信をスケジューリングし、物理ダウンリンク制御チャネル（ＰＤＣＣＨ）などのダウンリンク制御チャネルを介しＵＥに通知してもよい。処理５１２０において、ｅＮｏｄｅＢは、スケジューリングされたフレームを送信してもよい。処理５１３０において、ｅＮｏｄｅＢは、ＵＥからレスポンスを受信する。処理５１４０において、ｅＮｏｄｅＢは、ＰＤＣＣＨにより送信された最後のＤＡＩ値がバンドリングウィンドウサイズ未満であると判断する。処理５１５０において、ｅＮｏｄｅＢは、受信したコンステレーション及びＲＭコードビットと共に、レスポンスが受信されたリソース（ＰＵＣＣＨリソースなど）を利用して、ＨＡＲＱ−ＡＣＫ（ｊ）がパディング値であることを考慮してレスポンスを判断してもよい。ここで、ｊはＬＤＡＩ≦ｊ＜Ｍ−１であり、Ｍは多重化又はバンドリングウィンドウサイズである。ｅＮｏｄｅＢは、このとき、何れか必要な再送を送信してもよい。
【００２５】
図６を参照して、送信をアクノリッジするシステム６０００が示される。ユーザ装置（ＵＥ）６０１０は、１以上の無線リンク６０４０を介し１以上の基地局（ｅＮｏｄｅＢなど）６０３０，６０３５を含む無線アクセスネットワーク（ＲＡＮ）６０２０と通信する。ＲＡＮ６０２は、エンハンスドパケットコアなどのコアネットワーク６０４５に接続されてもよい。ＥＰＣ６０４５は、インターネット、ＰＯＴＳ（Ｐｌａｉｎ  Ｏｌｄ  Ｔｅｌｅｐｈｏｎｅ  Ｓｅｒｉｖｃｅ）ネットワークなどのネットワーク６０５０に接続されてもよい。図６のシステムでは、無線リンク６０４０は、ＴＤＤモードにより動作してもよい。
【００２６】
図７は、ＵＥ７０００（図示しない更なるコンポーネントが含まれてもよい）のパーシャル機能図を示す。ＵＥ７０００は、送信モジュール７０１０を有してもよい。送信モジュール７０１０は、物理アップリンク制御チャネル（ＰＵＣＣＨ）、物理アップリンク共有チャネル（ＰＵＳＣＨ）などの１以上のアップリンクチャネルを介しＲＡＮに制御及びユーザトラフィックを送信する。送信モジュール７０１０は、ダウンリンクチャネル（物理ダウンリンク共有チャネル（ＰＤＳＣＨ）及び物理専用制御チャネル（ＰＤＣＣＨ）など）によりＲＡＮからＵＥ７０００に送信されるユーザトラフィック及び制御トラフィックのアクノリッジメントを送信してもよい。
【００２７】
受信モジュール７０２０は、物理ダウンリンク共有チャネル（ＰＤＳＣＨ）及び物理ダウンリンク制御チャネル（ＰＤＣＣＨ）などのダウンリンクチャネル上でＲＡＮにより送信された情報を受信し、当該情報の受信状態をレスポンスモジュール７０３０に通知してもよい。例えば、受信したサブフレームは、受信モジュールにおいて復号化され（何れかのＦＥＣ訂正がまたここで実行されてもよい）、サブフレームがＡＣＫ、ＮＡＣＫ又はＤＴＸ処理されるべきかの通知が、レスポンスモジュール７０３０に送信されてもよい。受信モジュール７０２０はまた、バンドリングウィンドウのサイズや当該ウィンドウにおいて最後に受信したＤＡＩなどの各種通信パラメータをレスポンスモジュール７０３０にわたしてもよい。
【００２８】
レスポンスモジュール７０３０は、ＬＤＡＩ、バンドリングウィンドウサイズなどに基づき、図１及び２（図２Ａに続く）のテーブルに従って適切なレスポンスパラメータ（ＰＵＣＣＨリソース、ＲＭコードビット、コンステレーションなど）を送信モジュール７０１０に通知してもよい。例えば、レスポンスモジュール７０３０は、複数の受信したダウンリンク割当がレスポンスバンドリングウィンドウサイズ未満であることを判断し、当該判断に基づき、受信したダウンリンク割当に関するフレームの受信が成功したかに基づき、受信した各ダウンリンク割当の受信状態を設定し、所定値に対応するダウンリンク割当を有しなかったバンドリングウィンドウのフレームの受信状態を設定してもよい。例えば、レスポンスモジュールは、レスポンスバンドリングウィンドウの複数のダウンリンクサブフレームの各インデックスｊについて、受信した１以上のダウンリンク割当インデックス（ＤＡＩ）値がｊ＋ｐに等しいか判断してもよい。１以上のＤＡＩ値の１つがｊ＋ｐに等しいことを判断したことに応答して、ｊに対応するサブフレームの受信状態（ＡＣＫ／ＮＡＣＫ／ＤＴＸ）を判定する。１以上のＤＡＩ値の何れもｊ＋ｐに等しくないと判断したことに応答して、ｊに対応するサブフレームの受信状態を所定値に設定する。ここで、ｐは定数（０又は１など）であり、１以上のＤＡＩ値が物理ダウンリンク制御チャネル（ＰＤＣＣＨ）により受信され、ｊ≦Ｍ−１であり、ＭはＨＡＲＱバンドリングウィンドウのサブフレームの個数である。レスポンスモジュール７０３０はまた、ＨＡＲＱモジュールと呼ばれ、送信モジュール７０１０に適切に決定されたレスポンスを送信するよう指示してもよい。いくつかの具体例では、バンドリングウィンドウ内で検出された対応するＰＤＣＣＨのないプライマリセル上の物理ダウンリンク共有チャネル（ＰＤＳＣＨ）の送信が存在する場合、変数ｐは０に等しくてもよく、そうでない場合、ｐは１であってもよい。従って、ｐの値は、対応するＰＤＣＣＨのないセミパーシスタントスケジューリング（ＳＰＳ）のＰＤＳＣＨがバンドリングウィンドウ内に存在するか否かを表すことができる。明細書はスケジューリングされたダウンリンクフレームについてＤＡＩ値によるＰＤＣＣＨを説明しているが、本開示はまた、ＵＥがＤＡＩ値を含むダウンリンクセミパーシステントスケジューリング（ＳＰＳ）リリースメッセージを示すＰＤＣＣＨを受信するときに利用されてもよいことに留意されたい。
【００２９】
図７はまた、ｅＮｏｄｅＢ７１００のパーシャル機能図を示す（図示されない更なるコンポーネントが含まれてもよい）。ｅＮｏｄｅＢ７１００は、１以上のチャネルによりユーザデータ及び制御データを送信する送信モジュール７１１０を有する。例えば、ユーザデータ又は制御データは、物理専用制御チャネル（ＰＤＣＣＨ）又は物理専用共有チャネル（ＰＤＳＣＨ）により送信されてもよい。送信モジュール７１１０は、送信用のフレームをスケジューリングし、ＰＤＣＣＨによりＵＥに通知してもよい。送信モジュール７１１０はまた、ＰＤＣＣＨにおいてＤＡＩを送信してもよい。受信モジュール７１２０は、物理アップリンク制御チャネル（ＰＵＣＣＨ）及び物理アップリンク共有チャネル（ＰＵＳＣＨ）などのアップリンク通信チャネルにより制御及びユーザデータを受信してもよい。受信モジュール７１２０は、ＵＥからダウンリンクサブフレームに対するＨＡＲＱレスポンス（ＡＣＫ−ＮＡＣＫ−ＤＴＸレスポンスなど）を受信してもよい。当該情報に応答して、受信モジュールは、特定のデータが再送される必要があることを送信モジュールに通知してもよい。受信モジュール７１２０は、レスポンスが受信されたＰＵＣＣＨリソース、受信したコンステレーションビット及び受信したＲＭコードに基づきレスポンスを復号化してもよい。受信モジュール７１２０はまた、バンドリングウィンドウの最後のＤＡＩ値がバンドリングウィンドウのサブフレーム数未満であり、サブフレームのＡＣＫ／ＮＡＣＫ／ＤＴＸの１以上が実際の送信を表していないとして無視されるべきであることを判断してもよい。
【００３０】
図８は、ここに開示される技術の何れか１以上が実行可能な一例となるマシーン８０００のブロック図を示す。ＵＥ、ＲＡＮ（ｅＮｏｄｅＢを含む）又はＥＰＣが、マシーン８０００であってもよいし、又は一部を含むものであってもよい。他の実施例では、マシーン８０００は、スタンドアローン装置として動作可能であるか、又は他のマシーンと接続（ネットワーク化など）可能である。ネットワーク化された配置では、マシーン８０００は、サーバマシーン、クライアントマシーンのキャパシティにおいて又はサーバ・クライアントネットワーク環境の双方において動作可能である。一例では、マシーン８０００は、ピア・ツー・ピア（Ｐ２Ｐ）（又は他の分散）ネットワーク環境においてピアマシーンとして動作可能である。マシーン８０００は、パーソナルコンピュータ（ＰＣ）、タブレットＰＣ、セットトップボックス（ＳＴＢ）、ＰＤＡ（Ｐｅｒｓｏｎａｌ  Ｄｉｇｉｔａｌ  Ａｓｓｉｓｔａｎｔ）、携帯電話（ＵＥなど）、ウェブアプライアンス、無線基地局、ネットワークルータ、スイッチ若しくはブリッジ又は当該マシーンによりとられるべきアクションを指定する命令（逐次的又はその他）を実行可能な何れかのマシーンとすることができる。さらに、単一のマシーンのみが図示されるが、“マシーン”という用語はまた、クラウドコンピューティング、ＳａａＳ（Ｓｏｆｔｗａｒｅ  ａｓ  ａ  Ｓｅｒｖｉｃｅ）、他のコンピュータクラスタコンフィギュレーションなど、ここに説明される方法の何れか１以上を実行するための命令セット（又は複数のセット）を個別に又は結合して実行する何れかのマシーンのコレクションを含むよう解釈される。例えば、マシーン８０００の機能は、ネットワークの他の複数のマシーンに分散可能である。
【００３１】
ここに説明される具体例は、ロジック若しくは複数のコンポーネント、モジュール又は機構を含むことができ、又は動作可能である。モジュールは、指定された処理を実行可能な有形のエンティティであり、ある方法により設定又は構成可能である。一例では、回路は、モジュールとして指定された方法により構成可能である（例えば、内部的に又は他の回路などの外部エンティティに関してなど）。一例では、１以上のコンピュータシステムの全体若しくは一部（スタンドアローン、クライアント又はサーバコンピュータシステムなど）又は１以上のハードウェアプロセッサは、指定された処理を実行するよう動作するモジュールとしてファームウェア又はソフトウェア（命令、アプリケーション部分又はアプリケーションなど）によって構成可能である。一例では、ソフトウェアは、（１）非一時的なマシーン可読媒体上に、又は（２）伝送信号において配置可能である。一例では、モジュールの基礎となるハードウェアによって実行されると、ソフトウェアは、ハードウェアに指定された処理を実行させる。
【００３２】
従って、“モジュール”という用語は、指定された方法により動作するか、又はここに記載された処理の一部又は全てを実行するよう物理的に構成、具体的に構成（ハードウェア化など）又は一時的に構成（プログラムなど）されるエンティティとなる有形のエンティティを含むよう理解される。モジュールが一時的に構成される例を検討すると、各モジュールは、何れかの時点においてインスタンス化される必要はない。例えば、モジュールがソフトウェアを用いて構成される汎用のハードウェアプロセッサから構成される場合、汎用のハードウェアプロセッサは、経時的に変化しうる１以上のモジュールとして構成可能である。従って、ソフトウェアは、ある時点においてあるモジュールを構成し、異なる時点では異なるモジュールを構成するようハードウェアプロセッサを構成可能である。
【００３３】
マシーン（コンピュータシステムなど）８０００は、ハードウェアプロセッサ８００２（ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ハードウェアプロセッサコア又はこれらの何れかの組み合わせなど）、メインメモリ８００４及びスタティックメモリ８００６を含むことが可能であり、その一部又は全てがバス８００８を介し互いに通信可能である。マシーン８０００は更に、ディスプレイユニット８０１０、英数字入力装置８０１２（キーボードなど）、ユーザインタフェース（ＵＩ）制御装置及び／又は他の入力装置を含むことが可能である。一例では、ディスプレイユニット８０１０及びＵＩ制御装置８０１４は、タッチ画面ディスプレイとすることができる。マシーン８０００は更に、ストレージ装置（ドライブユニットなど）８０１６、信号生成装置８０１８（スピーカなど）及びネットワークインタフェース装置８０２０を含むことができる。
【００３４】
ストレージ装置８０１６は、ここに記載される技術又は機能の何れか１以上を実現又は利用されるデータ構造又は命令８０２４（ソフトウェアなど）の１以上のセットが格納されるマシーン可読媒体８０２２を含むことができる。当該命令８０２４はまた、マシーン８０００による実行中に、メインメモリ８００４内、スタティックメモリ８００６内又はハードウェアプロセッサ８００２内に完全に又は少なくとも部分的に配置できる。一例では、ハードウェアプロセッサ８００２、メインメモリ８００４、スタティックメモリ８００６又はストレージ装置８０１６の１つ又は何れかの組み合わせは、マシーン可読媒体を構成できる。
【００３５】
マシーン可読媒体８０２２は、単一の媒体として示されるが、“マシーン可読媒体”という用語は、１以上の命令８０２４を格納するよう構成される単一の媒体又は複数の媒体（例えば、中央化又は分散化データベース、及び／又は関連するキャッシュ及びサーバなど）を含むことが可能である。
【００３６】
“マシーン可読媒体”という用語は、マシーン８０００による実行用の命令を格納、符号化又は担持可能であって、マシーン本開示の技術の何れか１以上を実行させる何れかの有形な媒体、又は当該命令によって利用されるか、若しくは関連するデータ構造を格納、符号化又は担持可能な何れかの有形な媒体を含むことが可能である。非限定的なマシーン可読媒体の具体例は、ソリッドステートメモリ、光及び磁気媒体を含むことが可能である。マシーン可読媒体の具体例は、半導体メモリデバイス（ＥＰＲＯＭ（Ｅｌｅｃｔｒｉｃａｌｌｙ  Ｐｒｏｇｒａｍｍａｂｌｅ  Ｒｅａｄ−Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）など）、フラッシュメモリデバイス、内部ハードディスクや着脱可能なディスクなどの磁気ディスク、光磁気ディスク及びＣＤ−ＲＯＭ及びＤＶＤ−ＲＯＭディスクなどの不揮発性メモリを含むことが可能である。
【００３７】
命令８０２４は更に、ネットワークインタフェース装置８０２０を介し伝送媒体を用いて通信ネットワーク８０２６上で送信又は受信可能である。ネットワークインタフェース装置８０２０は、複数のプロトコル（フレームリレイ、インターネットプロトコル（ＩＰ）、送信制御プロトコル（ＴＣＰ）、ユーザデータグラムプロトコル（ＵＤＰ）、ハイパーテキストトランスファプロトコル（ＨＴＴＰ）など）の何れか１つを利用することによって、ネットワークのその他のマシーンと通信するため、当該マシーン８０００と他のマシーンのネットワークとを接続してもよい。一例となる通信ネットワークは、ローカルエリアネットワーク（ＬＡＮ）、ワイドエリアネットワーク（ＷＡＮ）、パケットデータネットワーク（インターネットなど）、携帯電話ネットワーク（セルラネットワークなど）、ＰＯＴＳネットワーク、無線データネットワーク（ＷｉＦｉ（登録商標）として知られるＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１の規格ファミリ、ＷｉＭＡＸ（登録商標）として知られるＩＥＥＥ８０２．１６の規格ファミリなど）、ピア・ツー・ピア（Ｐ２Ｐ）ネットワークを含みうる。一例では、ネットワークインタフェース装置８０２０は、通信ネットワーク８０２６に接続するための１以上の物理ジャック（イーサネット（登録商標）、同軸又は電話ジャックなど）又は１以上のアンテナを含みうる。一例では、図８に示されるように、ネットワークインタフェース装置８０２０は、ＳＩＭＯ（Ｓｉｎｇｌｅ−Ｉｎｐｕｔ  Ｍｕｌｔｉｐｌｅ−Ｏｕｔｐｕｔ）、ＭＩＭＯ（Ｍｕｌｔｉｐｌｅ−Ｉｎｐｕｔ  Ｍｕｌｔｉｐｌｅ−Ｏｕｔｐｕｔ）又はＭＩＳＯ（Ｍｕｌｔｉｐｌｅ−Ｉｎｐｕｔ  Ｓｉｎｇｌｅ−Ｏｕｔｐｕｔ）技術の少なくとも１つを利用して、無線通信するための複数のアンテナ（図示せず）を有することができる。“伝送媒体”という用語は、マシーン８０００による実行用の命令を格納、符号化又は担持可能であって、ソフトウェアの通信を実現するためのデジタル若しくはアナログ通信信号又は他の無形な媒体を含む何れか無形な媒体を含むよう解釈される。
［他の留意点及び具体例］
例１：無線ダウンリンク制御チャネルを介しバンドリングウィンドウの１以上のダウンリンク割当を受信し、ダウンリンクデータチャネルのサブフレームがダウンリンク割当の１つに関連付けされたか、及びサブフレームの受信が成功したかに基づき、バンドリングウィンドウにおいてダウンリンクデータチャネルの各サブフレームの受信状態を設定し、対応するダウンリンク割当を有さない前記バンドリングウィンドウにおける前記ダウンリンクデータチャネルの各サブフレームの受信状態を所定値に設定するよう構成されるレスポンスモジュールと、前記レスポンスモジュールにより設定される受信状態に基づくレスポンスを送信するよう構成される送信モジュールとを有するユーザ装置（ＵＥ）が開示される。
【００３８】
例２：前記受信状態は、アクノリッジメント（ＡＣＫ）、非アクノリッジメント（ＮＡＣＫ）及び間欠受信（ＤＴＸ）の１つである、例１記載のユーザ装置。
【００３９】
例３：前記所定値は、間欠送信（ＤＴＸ）を示す値である、例１〜２の何れか１つに記載のユーザ装置。
【００４０】
例４：当該ユーザ装置は、ＴＤＤ（Ｔｉｍｅ  Ｄｉｖｉｓｉｏｎ  Ｄｕｐｌｅｘ）モードにより動作するよう構成され、前記送信モジュールは、物理アップリンク制御チャネル（ＰＵＣＣＨ）フォーマット１ｂを用いて前記レスポンスを送信するよう構成される、例１〜３の何れか１つに記載のユーザ装置。
【００４１】
例５：前記バンドリングウィンドウは、２つのサブフレームより大きい、例１〜４の何れか１つに記載のユーザ装置。
【００４２】
例６：前記送信モジュールは、前記受信状態に基づき、ＰＵＣＣＨアップリンクリソース、コンステレーション及びコード入力ビットのセットを選択することによって、前記レスポンスを送信するよう構成される、例１〜５の何れか１つに記載のユーザ装置。
【００４３】
例７：当該ユーザ装置は、ロング・ターム・エボリューション（ＬＴＥ）規格ファミリを用いて無線ネットワークと通信するよう構成される、例１〜６の何れか１つに記載のユーザ装置。
【００４４】
例８：当該ユーザ装置は、２つのサービングセルのコンフィギュレーションによるキャリアアグリゲーションを利用するよう構成される、例１〜７の何れか１つに記載のユーザ装置。
【００４５】
例９：複数のダウンリンクサブフレームの各インデックスｊについて、ダウンリンク制御チャネル（ＰＤＣＣＨ）を介し受信された１以上のダウンリンク割当インデックス（ＤＡＩ）値がｊ＋ｐに等しいか判断するステップであって、ｊ≦Ｍ−１であり、ＭはＨＡＲＱバンドリングウィンドウのサブフレームの個数であり、ｐは定数である、判断するステップと、前記１以上のＤＡＩ値の何れもｊ＋１に等しくないと判断したことに応答して、ｊに対応するサブフレームの受信状態を所定値に設定するステップと、前記バンドリングウィンドウＭの複数のダウンリンクサブフレームｊのそれぞれの受信状態を送信するステップとを有する方法が開示される。
【００４６】
例１０：前記所定値は、間欠送信（ＤＴＸ）を示す値である、例９記載の方法。
【００４７】
例１１：前記バンドリングウィンドウ内に検出される対応するＰＤＣＣＨのないプライマリセル上にプライマリダウンリンク共有チャネル（ＰＤＳＣＨ）の送信があるか判断するステップと、対応するＰＤＣＣＨのないＰＤＳＣＨがあると判断したことに応答して、ｐを０に設定するステップと、対応するＰＤＣＣＨのないＰＤＳＣＨがないと判断したことに応答して、ｐを１に設定するステップとを有する、例９〜１０の何れか１つに記載の方法。
【００４８】
例１２：前記受信状態は、物理アップリンク制御チャネル（ＰＵＣＣＨ）フォーマット１ｂを用いて送信される、例９〜１１の何れか１つに記載の方法。
【００４９】
例１３：前記受信状態に基づきＰＵＣＣＨアップリンクリソース、コンステレーション及びコード入力ビットのセットを少なくとも選択することによって、前記受信状態を送信するステップを更に有する、例９〜１１の何れか１つに記載の方法。
【００５０】
例１４：複数のダウンリンクサブフレームの各インデックスｊについて、物理ダウンリンク制御チャネル（ＰＤＣＣＨ）を介し受信した１以上のダウンリンク割当インデックス（ＤＡＩ）値がｊ＋ｐに等しいか判断し、ｐは定数であり、ｊ≦Ｍ−１であり、ＭはＨＡＲＱバンドリングウィンドウのサブフレームの個数であり、前記１以上のＤＡＩ値の１つがｊ＋ｐに等しいと判断したことに応答して、ｊに対応するサブフレームの受信状態を決定し、前記１以上のＤＡＩ値の何れもｊ＋ｐに等しくないと判断したことに応答して、ｊに対応するサブフレームの受信状態を所定値に設定するよう構成されるＨＡＲＱ（Ｈｙｂｒｉｄ  Ａｕｔｏｍａｔｉｃ  Ｒｅｐｅａｔ  Ｒｅｑｕｅｓｔ）モジュールと、前記バンドリングウィンドウＭにおいて前記複数のダウンリンクサブフレームｊのそれぞれの受信状態を送信するよう構成される送信モジュールとを有するユーザ装置（ＵＥ）が開示される。
【００５１】
例１５：前記受信状態は、アクノリッジメント（ＡＣＫ）、非アクノリッジメント（ＮＡＣＫ）及び間欠受信（ＤＴＸ）の１つである、例１４に記載のユーザ装置。
【００５２】
例１６：前記所定値は、間欠送信（ＤＴＸ）を示す値である、例１４〜１５の何れか１つに記載のユーザ装置。
【００５３】
例１７：前記所定値は、ＡＣＫ、ＮＡＣＫ及びＤＴＸを示す値と異なる値である、例１４〜１６の何れか１つに記載のユーザ装置。
【００５４】
例１８：前記所定値は、ＡＣＫ、ＮＡＣＫ及びＤＴＸを示す値の１つからランダムに選ばれる値である、例１４〜１７の何れか１つに記載のユーザ装置。
【００５５】
例１９：当該ユーザ装置は、ＴＤＤ（Ｔｉｍｅ  Ｄｉｖｉｓｉｏｎ  Ｄｕｐｌｅｘ）モードにより動作するよう構成される、例１４〜１８の何れか１つに記載のユーザ装置。
【００５６】
例２０：当該ユーザ装置は、ＨＡＲＱ受信状態を多重化するよう構成される、例１４〜１９の何れか１つに記載のユーザ装置。
【００５７】
例２１：前記送信モジュールは、物理アップリンク制御チャネル（ＰＵＣＣＨ）フォーマット１ｂを用いて前記受信状態を送信するよう構成される、例１４〜２０の何れか１つに記載のユーザ装置。
【００５８】
例２２：前記ＨＡＲＱモジュールは更に、前記バンドリングウィンドウ内に検出される対応するＰＤＣＣＨのないプライマリセル上にプライマリダウンリンク共有チャネル（ＰＤＳＣＨ）の送信があるか判断し、対応するＰＤＣＣＨのないＰＤＳＣＨがあると判断したことに応答して、ｐを０に設定し、対応するＰＤＣＣＨのないＰＤＳＣＨがないと判断したことに応答して、ｐを１に設定するよう構成される、例１４〜２１の何れか１つに記載のユーザ装置。
【００５９】
例２３：前記送信モジュールは、前記受信状態に基づきＰＵＣＣＨアップリンクリソース、コンステレーション及びコード入力ビットのセットを選択することによって、前記受信状態を送信するよう構成される、例１４〜２２の何れか１つに記載のユーザ装置。
【００６０】
例２４：当該ユーザ装置は、ロング・ターム・エボリューション（ＬＴＥ）規格のファミリを用いて無線ネットワークと通信するよう構成される、例１４〜２３の何れか１つに記載のユーザ装置。
【図１】
0006275802.tif 000006
【図２】
0006275802.tif 000007
【図２Ａ】
0006275802.tif 000008
【図３】
0006275802.tif 000009
【図４】
0006275802.tif 000010
【図５Ａ】
0006275802.tif 000011
【図５Ｂ】
0006275802.tif 000012
【図６】
0006275802.tif 000013
【図７】
0006275802.tif 000014
【図８】
0006275802.tif 000015